(57)【要約】【課題】自動式コンベヤにより搬入物を外部の非防虫管理区域から施設内の防虫管理区域に搬入する際に、虫やごみ等の異物が防虫管理区域内に入ることを確実に防止し得るようにする。【解決手段】非防虫管理区域１側に入口部Ａが形成され、且つ、防虫管理区域２側に出口部Ｅが形成され、しかも、入口部Ａ及び出口部Ｅに開閉可能なシャッタ７，３１が配置されたパスボックス５内に、エアカーテンを形成して非防虫管理区域１から虫やごみ等の異物が侵入するのを防止すると共に、搬入物Ｍに付着している虫やごみ等の異物を前記エアカーテンの空気１２により除去するための前段エアカーテン部Ｂと、エアシャワーにより前段エアカーテン部Ｂから侵入した虫やごみ等の異物を捕捉するためのエアシャワー部Ｃと、エアシャワー部Ｃで捕捉された虫やごみ等の異物をエアカーテンにより遮断して防虫管理区域２へ侵入するのを防止するための後段エアカーテン部Ｄとを設ける。【選択図】図７
2006022993.tif 000002
【特許請求の範囲】
【請求項１】
非防虫管理区域側に入口部が形成され、且つ、防虫管理区域側に出口部が形成され、しかも、前記入口部及び出口部に開閉可能な戸体が配置されたパスボックス内に、エアカーテンを形成して前記非防虫管理区域から虫やごみ等の異物が侵入するのを防止すると共に、搬入物に付着している虫やごみ等の異物を前記エアカーテンの空気により除去するための前段エアカーテン部と、エアシャワーにより前記前段エアカーテン部から侵入した虫やごみ等の異物を捕捉するためのエアシャワー部と、該エアシャワー部で捕捉された虫やごみ等の異物をエアカーテンにより遮断して前記防虫管理区域へ侵入するのを防止するための後段エアカーテン部とを設けたことを特徴とする異物侵入防止設備。
【請求項２】
前段エアカーテン部のエアカーテンは上方から下方へ流れる空気及び下方から上方へ流れる空気並びに左右両側から中心側へ流れる空気により構成されている請求項１記載の異物侵入防止設備。
【請求項３】
搬入物は非防虫管理区域から防虫管理区域まで、パスボックス内を通して設置した駆動搬送装置により搬送し得るように構成した請求項１又は２記載の異物侵入防止設備。
【請求項４】
前段エアカーテン部でエアカーテンを形成する空気は、非防虫管理区域へ排出し得るよう構成した請求項１乃至３の何れかに記載の異物侵入防止設備。
【請求項５】
エアシャワー部で空気に捕捉されて搬送されてきた虫やごみ等の異物を捕捉するためのフィルタ手段を備えた請求項１乃至４の何れかに記載の異物侵入防止設備。
【請求項６】
後段エアカーテンで空気に捕捉されて搬送されてきた虫やごみ等の異物を捕捉するためのフィルタ手段を備えた請求項１乃至５の何れかに記載の異物侵入防止設備。
【請求項７】
後段エアカーテン部は陽圧となるよう構成した請求項１乃至６の何れかに記載の異物侵入防止設備。
【請求項８】
後段エアカーテン部でエアカーテンを形成してパスボックス内を通過した空気の一部は、非防虫管理区域へ排出し得るよう構成した請求項１乃至７の何れかに記載の異物侵入防止設備。 
【発明の詳細な説明】
【技術分野】
【０００１】
本発明は異物侵入防止設備に関するものである。
【背景技術】
【０００２】
製薬や食品の関連施設において、段ボール箱等の搬入物を外部の非防虫管理区域から施設内の防虫管理区域に搬入する際には、従来は、搬入物を搬入口から外部と同様、非防虫管理区域である搬入室へ搬入して山積みしておき、この山積みされた搬入物の外表面を一つ一つ刷毛や布を用いて払うことにより、その外表面に付着している虫やごみ（以下、虫やごみ等の異物という）を除去し、防虫バリアである扉を開いて、搬入物を人手により防虫管理区域へ搬入していた。
【０００３】
しかし、斯かる従来手段では、雨の日も一部の搬入物は外へ山積みされているため、虫やごみ等の異物は搬入物の外表面に付着し易く、しかも、数百個もある搬入物を人手により防虫管理区域へ搬入するため、作業に手間が掛かるうえ、防虫バリアである扉を開くことにより防虫バリアは崩れ、虫やごみ等の異物は搬入物と共に防虫区画に侵入するという問題があった。
【０００４】
そこで、近年においては、虫やごみ等の異物が付着した状態で搬入物が防虫管理区域内に搬入されることを防止すると共に効率良く作業を行なうため、自動式コンベヤを備えたトンネル状のパスボックスに単一のエアシャワー又はエアカーテンを設け、自動式コンベヤによる搬入物のパスボックス内における搬送中にエアシャワーにより搬入物に付着している虫やごみ等の異物を除去したり、エアカーテンにより虫やごみ等の異物が防虫管理区域に侵入するのを防止するか、或は、搬入口にエアカーテンを設けて虫やごみ等の異物が防虫管理区域に侵入するのを防止するようにしている。
【０００５】
なお、汚染区域から清潔区域に搬送物を搬送する装置としては特許文献１がある。特許文献１では、クリーンルームと梱包室との間を断熱パネル等の壁で仕切り、この壁に貫通口を開け、食品をクリーンルームから梱包室へ進行させるトンネル状の搬送域を設け、搬送域のコンベヤ等の搬送面上に複数の開閉扉を設置し、コンベア間に遮蔽物を介設し、クリーンルームの密閉性を高めるようにしている。
【特許文献１】特開２０００−１０９２１５号公報
【発明の開示】
【発明が解決しようとする課題】
【０００６】
しかしながら、上記従来の装置のうち自動式コンベヤを備えたパスボックスにエアシャワーを設けたものでは、搬入物の表面に付着した虫やごみ等の異物はエアシャワーにより除去することはできても、外部からの飛来虫の侵入防止はほとんど期待できなかった。
【０００７】
又、自動式コンベヤを備えたパスボックスにエアカーテンを設けたもの、或は、搬入口にエアカーテンを設けたものでは、気流は上方から下方へ向けての一方向のみに流すか、又は、左右の両サイドから中央への二方向へ流すかしているため、飛来虫の侵入防止はできても、搬入物の付着している昆虫やごみ等の異物を除去することはできず、従って、昆虫やごみ等の異物は、搬入開始部で刷毛や布を用いて除去する必要があった。
【０００８】
更に、従来装置はエアシャワー或はエアカーテンの何れか一方を設けているだけであるため、防虫バリアを構築するには不十分であった。
【０００９】
本発明は、斯かる実情に鑑み、自動式コンベヤにより搬入物を外部の非防虫管理区域から施設内の防虫管理区域に搬入する際に、虫やごみ等の異物が防虫管理区域内に入ることを確実に防止し得るようにした異物侵入防止設備を提供することを目的としてなしたものである。
【課題を解決するための手段】
【００１０】
請求項１の異物侵入防止設備は、非防虫管理区域側に入口部が形成され、且つ、防虫管理区域側に出口部が形成され、しかも、前記入口部及び出口部に開閉可能な戸体が配置されたパスボックス内に、エアカーテンを形成して前記非防虫管理区域から虫やごみ等の異物が侵入するのを防止すると共に、搬入物に付着している虫やごみ等の異物を前記エアカーテンの空気により除去するための前段エアカーテン部と、エアシャワーにより前記前段エアカーテン部から侵入した虫やごみ等の異物を捕捉するためのエアシャワー部と、該エアシャワー部で捕捉された虫やごみ等の異物をエアカーテンにより遮断して前記防虫管理区域へ侵入するのを防止するための後段エアカーテン部とを設けたものである。
【００１１】
請求項２の異物侵入防止設備は、前段エアカーテン部のエアカーテンは上方から下方へ流れる空気及び下方から上方へ流れる空気並びに左右両側から中心側へ流れる空気により構成されている。
【００１２】
請求項３の異物侵入防止設備においては、搬入物は非防虫管理区域から防虫管理区域まで、パスボックス内を通して設置した駆動搬送装置により搬送し得るように構成されている。
【００１３】
請求項４の異物侵入防止設備においては、前段エアカーテン部でエアカーテンを形成する空気は、非防虫管理区域へ排出し得るよう構成されている。
【００１４】
請求項５の異物侵入防止設備は、エアシャワー部で空気に捕捉されて搬送されてきた虫やごみ等の異物を捕捉するためのフィルタ手段を備えたものである。
【００１５】
請求項６の異物侵入防止設備は、後段エアカーテンで空気に捕捉されて搬送されてきた虫やごみ等の異物を捕捉するためのフィルタ手段を備えたものである。
【００１６】
請求項７の異物侵入防止設備においては、後段エアカーテン部は陽圧となるよう構成されている。
【００１７】
請求項８の異物侵入防止設備においては、後段エアカーテン部でエアカーテンを形成してパスボックス内を通過した空気の一部は、非防虫管理区域へ排出し得るよう構成されている。
【発明の効果】
【００１８】
本発明の請求項１〜８記載の異物侵入防止設備によれば、搬入物を外部の非防虫管理区域から防虫管理区域に搬入する際に、虫やごみ等の異物が防虫管理区域内に侵入することを確実に防止することができるうえ、搬入物の搬入作業を能率良く迅速に行なうことができる、という優れた効果を奏し得る。
【発明を実施するための最良の形態】
【００１９】
以下、本発明の実施の形態を図示例と共に説明する。
図１は本発明の異物侵入防止設備の実施の形態の一例を示す縦断側面図、図２は図１のＩＩ方向矢視図、図３は図１のＩＩＩ方向矢視図、図４は図１のＩＶ方向矢視図、図５は図１のＶ方向矢視図、図６は図１の異物侵入防止設備を模式化して示す縦断側面図、図７は非防虫管理区域から防虫管理区域へ搬入物を搬入する際に、図６の各エリアを断面にして示す作業手順を示す模式図である。
【００２０】
図中、１は搬入物Ｍが搬入されて一時的に保管される搬入室である施設内の非防虫管理区域、２は施設内の防虫管理区域、３は非防虫管理区域１と防虫管理区域２とを繋ぐように非防虫管理区域１と防虫管理区域２との間に設置された異物侵入防止設備である。異物侵入防止設備３はケーシング４とケーシング４内にその長手方向全長に亘り設置された略トンネル状のパスボックス５とを備えており、非防虫管理区域１内所定位置からパスボックス５を通り防虫管理区域２内所定位置までには、段ボール箱等の搬入物Ｍを搬送するための駆動ローラコンベヤ６が敷設されている。
【００２１】
異物侵入防止設備３のケーシング４及びパスボックス５の部分は、搬入物Ｍの進行方向上流側から下流側に向けて、入口部Ａと、前段エアカーテン部Ｂと、エアシャワー部Ｃと、後段エアカーテン部Ｄと、出口部Ｅとに分かれている。
【００２２】
入口部Ａは、装置停止時に搬入口を遮断し、虫やごみ等の異物がパスボックス５内に侵入するのを防止するための領域で、上下に開閉可能な気密性の高いシャッタ７が設けられている。
【００２３】
前段エアカーテン部Ｂは、非防虫管理区域１から虫やごみ等の異物が侵入するのを防止すると共に、搬入物Ｍに付着している虫やごみ等の異物を吹払うエアカーテンを形成するための領域で、パスボックス５の上下、左右から３０ｍ／Ｓ以上の流速でパスボックス５内中心部に向けて空気を吹出し得るよう、パスボックス５の周囲には、スリット型の空気吹出し口８が形成されている。
【００２４】
又、前段エアカーテン部Ｂはケーシング４内に配置された高性能フィルタ９及び送風機１０を備えている。而して、送風機１０により吸引されて非防虫管理区域１側の入口部Ａに設けた空気取入れ口１１からケーシング４内に取込まれた空気１２は、高性能フィルタ９で虫やごみ等の異物を捕捉されたうえ、送風機１０により加圧されて前段エアカーテン部Ｂのパスボックス５外部に形成された空間部４ｂに導入され、空間部４ｂから上部及び下部並びに左右の空気吹出し口８を経てパスボックス５内へ吹出し得るようになっている。
【００２５】
このため、吹出された空気１２によりパスボックス５内の前段エアカーテン部Ｂには、エアカーテンが形成され、非防虫管理区域１から虫やごみ等の異物がパスボックス５内に侵入するのが防止されると共に、エアカーテンを形成する空気１２によりパスボックス５内を搬送されている搬入物Ｍに付着している虫やごみ等の異物を吹払い得るようになっている。
【００２６】
更に、パスボックス５内に吹込まれた空気１２は、パスボックス５から非防虫管理区域１への循環気流を形成するようになっている。
【００２７】
エアシャワー部Ｃは、前段エアカーテン部Ｂを突破した虫やごみ等の異物を捕捉するためのエアシャワーを形成するための領域で、パスボックス５の上部、左右からパスボックス５内に２５ｍ／Ｓ以上の流速で空気を吹出し得るよう、パスボックス５の上部及び左右に夫々複数の空気吹出しノズル１３が設けられており、パスボックス５内の上部隅部には、非防虫管理区域１から前段エアカーテン部Ｂを経て虫が侵入するのを防止するための防虫用蛍光灯１４が設置されている。
【００２８】
又、エアシャワー部Ｃはケーシング４内に配置されたプレフィルタ１５及び高性能フィルタ１６並びに送風機１７を備えている。而して、パスボックス５下部の開口部１８から流出して送風機１７により吸引された空気１９は、プレフィルタ１５及び高性能フィルタ１６で虫やごみ等の異物を捕捉されたうえ、送風機１７により加圧されてエアシャワー部Ｃのパスボックス５外部に形成された空間部４ｃに導入され、空間部４ｃから上部及び左右の複数の空気吹出しノズル１３を経てパスボックス５内のエアシャワー部Ｃへ吹出し得るようになっている。
【００２９】
このため、吹出された空気１９によりパスボックス５内のエアシャワー部Ｃにはエアシャワーが形成され、エアシャワーにより前段エアカーテン部Ｂから侵入した虫やごみ等の異物を捕捉するようになっている。
【００３０】
更に、パスボックス５内に吹込まれた空気１９は再びパスボックス５下部の開口部１８から流出してプレフィルタ１５側へ流れ、循環気流を形成するようになっている。
【００３１】
後段エアカーテン部Ｄはエアシャワー部Ｃから防虫管理区域２へ侵入しようとする虫やごみ等の異物を遮断するためのエアカーテンを形成するための領域で、パスボックス５の上部からパスボックス５内に３５ｍ／Ｓ以上の流速でパスボックス５内に空気を吹出し得るよう、パスボックス５の上部にスリット型の空気吹出し口２０が形成されており、パスボックス５の下部には、パスボックス５内に吹込まれた空気をパスボックス５から排出するためのスリット型の空気吸込み口２１及び開口部２２が設けられている。
【００３２】
又、後段エアカーテン部Ｄはケーシング４内に配置されたプレフィルタ２３及び高性能フィルタ２４並びに送風機２５を備えており、送風機２５により吸引されてパスボックス５下部の空気吸込み口２１及び開口部２２から流出した空気２６は、プレフィルタ２３及び高性能フィルタ２４で虫やごみ等の異物を捕捉されたうえ、送風機２５により加圧されて後段エアカーテン部Ｄのパスボックス５外部に形成された空間部４ｄに導入され、空間部４ｄから上部の空気吹出し口２０を経てパスボックス５内の後段エアカーテン部Ｄへ吹出し得るようになっている。
【００３３】
このため、吹出された空気２６によりパスボックス５内の後段エアカーテン部Ｄには、プッシュプル型のエアカーテンが形成され、エアシャワー部Ｃからの虫やごみ等の異物が後段エアカーテン部Ｄから防虫管理区域２に侵入するのを防止し得るようになっている。
【００３４】
更に、後段エアカーテン部Ｄはケーシング４内に送風機２７を備えており、送風機２７により吸引されて非防虫管理区域１側の入口部Ａに設けた空気取入れ口２８からケーシング４内に取込まれた空気２９は、高性能フィルタ３０で虫やごみ等の異物を捕捉されたうえ、送風機２７により加圧されて後段エアカーテン部Ｄのパスボックス５外部に形成された空間部４ｄに導入され、空気２６に合流して空気２６と共に空気吹出し口２０からパスボックス５内へ吹込まれ、パスボックス５下部の空気吸込み口２１及び開口部２２を通り流出して循環気流が形成されるようになっている。
【００３５】
更に又、開口部２２から流出した空気の一部はケーシング４内を通って、非防虫管理区域１側への循環気流を形成し得るようになっている。
【００３６】
上述のように、後段エアカーテン部Ｄにおいてパスボックス５内に送風機２７により空気２９を供給するのは、パスボックス５内から下部の空気吸込み口２１及び開口部２２を経て空気２６が送風機２５へ吸引される際に、パスボックス５内を陽圧にすることにより、パスボックス５内が負圧になるのを防止して防虫管理区域２が負圧にならないようにし、以って、パスボックス５内と防虫管理区域２側との差圧により虫やごみ等の異物が防虫管理区域２側へ侵入するのを防止するためである。
【００３７】
出口部Ｅは、装置停止時に搬出口を遮断し、虫やごみ等の異物がパスボックス５内から防虫管理区域２内に侵入するのを防止するための領域で、上下に開閉可能な気密性の高いシャッタ３１が設けられている。なお、高性能フィルタ９，１６，２４，３０は例えばＨＥＰＡフィルタが用いられる。
【００３８】
次に、上記図示例の作動を説明する。
非防虫管理区域１から防虫管理区域２へ段ボール箱等の搬入物Ｍを搬入する際には、各送風機１０，１７，２５，２７を駆動すると共に駆動ローラコンベヤ６を駆動し、異物侵入防止設備３の入口部Ａのシャッタ７及び出口部Ｅのシャッタ３１を開ける。
【００３９】
而して、作業員は、非防虫管理区域１側において搬入物Ｍを駆動ローラコンベヤ６へ搭載すると、搬入物Ｍは駆動ローラコンベヤ６により搬送されつつ、入口部Ａから異物侵入防止設備３のパスボックス５内へ送給されて前段エアカーテン部Ｂへ達する。
【００４０】
前段エアカーテン部Ｂにおいては、非防虫管理区域１側から空気取入れ口１１を介してケーシング４内に取込まれた空気１２は、高性能フィルタ９で虫やごみ等の異物を捕捉された後各送風機１０に吸引され、加圧されてケーシング４内の空間部４ｂへ送給され、空気吹出し口８からパスボックス５内の下方及び上方並びに左右中心側へ向けて吹出される。
【００４１】
このため、吹出された空気１２によりパスボックス５の前段エアカーテン部Ｂにはエアカーテンが形成されて、非防虫管理区域１側から虫やごみ等の異物がパスボックス５内に侵入するのを防止されると共に、空気１２は駆動ローラコンベヤ６により搬送されている搬入物Ｍに吹付けられて、搬入物Ｍに付着している虫やごみ等の異物が吹払われる。吹払われた虫やごみ等の異物は、空気１２に同伴されて非防虫管理区域１側へ排出される。
【００４２】
前段エアカーテン部Ｂで虫やごみ等の異物を捕捉された搬入物Ｍはパスボックス５内を搬送されてエアシャワー部Ｃに達する。而して、エアシャワー部Ｃにおいては、パスボックス５下部の開口部１８から流出した空気１９は循環気流として、プレフィルタ１５及び高性能フィルタ１６で虫やごみ等の異物を捕捉され、送風機１７に吸引され加圧されて、ケーシング４内の空間部４ｃへ送給され、上部及び左右の空気吹出しノズル１３からパスボックス５内へ吹出された空気１９によりエアシャワーが形成され、エアシャワーにより前段エアカーテン部Ｂから侵入した虫やごみ等の異物が捕捉される。又、防虫用蛍光灯１４により虫がエアシャワー部Ｃへ侵入することを防止される。
【００４３】
エアシャワー部Ｃを通過した搬入物Ｍは搬送されて後段エアカーテン部Ｄに達する。而して、後段エアカーテン部Ｄにおいては、パスボックス５下部の開口部２２から流出した空気２６は循環気流として、プレフィルタ２３及び高性能フィルタ２４で虫やごみ等の異物を捕捉され、送風機２５に吸引され加圧されて、ケーシング４内の空間部４ｄへ送給され、上部の空気吹出し口２０から吹出された空気２６により後段エアカーテン部Ｄのパスボックス５内においてプッシュプル型のエアカーテンが形成される。従って、後段エアカーテン部Ｄにおいては、エアカーテンにより虫やごみ等の異物が遮断される。
【００４４】
又、同時に非防虫管理区域１側の空気取入れ口２８から取込まれた空気２９は高性能フィルタ３０で虫やごみ等の異物を捕捉されて送風機２７に吸引され加圧されてケーシング４内の空間部４ｄへ送給され、循環気流である空気２６と同伴されて、空気吹出し口２０からパスボックス５内へ吹込まれ、空気吸込み口２１から開口部２２を経てプレフィルタ２３側へ循環する。この際、開口部２２から流出した空気の一部はケーシング４内を経て非防虫管理区域１側へ循環気流として送出される。
【００４５】
このため、空気吸込み口２１の部分は陽圧に保持される結果、防虫管理区域２は負圧にならず、従って、パスボックス５側から防虫管理区域２側へ空気が流入せず、虫やごみ等の異物はエアカーテンにより確実に遮断される。その結果、外部から防虫管理区域２への虫やごみ等の異物の侵入は確実に防止される。
【００４６】
本図示例によれば、搬入物Ｍを外部の非防虫管理区域１から施設内の防虫管理区域２に搬入する際に、虫やごみ等の異物が防虫管理区域２内に入ることを確実に防止することができるうえ、搬入物Ｍの搬入作業を能率良く迅速に行なうことができる。
【００４７】
なお、本発明の異物侵入防止設備は、上述の図示例にのみ限定されるものではなく、本発明の要旨を逸脱しない範囲内において種々変更を加え得ることは勿論である。
【図面の簡単な説明】
【００４８】
【図１】本発明の異物侵入防止設備の実施の形態の一例を示す縦断側面図である。
【図２】図１のＩＩ方向矢視図である。
【図３】図１のＩＩＩ方向矢視図である。
【図４】図１のＩＶ方向矢視図である。
【図５】図１のＶ方向矢視図である。
【図６】図１の異物侵入防止設備を模式化して示す縦断側面図である。
【図７】非防虫管理区域から防虫管理区域へ搬入物を搬入する際に、図６の各エリアを断面にして示す工程の模式図である。
【符号の説明】
【００４９】
１  非防虫管理区域
２  防虫管理区域
３  異物侵入防止設備
５  パスボックス
６  駆動ローラコンベヤ（駆動搬送装置）
７  シャッタ（戸体）
９  高性能フィルタ（フィルタ手段）
１２  空気
１５  プレフィルタ（フィルタ手段）
１６  高性能フィルタ（フィルタ手段）
２３  プレフィルタ（フィルタ手段）
２４  高性能フィルタ（フィルタ手段）
２６  空気
２９  空気
３１  シャッタ（戸体）
Ａ  入口部
Ｂ  前段エアカーテン部
Ｃ  エアシャワー部
Ｄ  後段エアカーテン部
Ｅ  出口部
Ｍ  搬入物
【図１】
2006022993.tif 000003
【図２】
2006022993.tif 000004
【図３】
2006022993.tif 000005
【図４】
2006022993.tif 000006
【図５】
2006022993.tif 000007
【図６】
2006022993.tif 000008
【図７】
2006022993.tif 000009